(57)【特許請求の範囲】
【請求項１】
ラベル印刷に際して一連に印刷されるべき複数の特定事項からなる一連の内容が関連付けて記憶されている記憶装置と、
前記特定事項と対応付けられるダイレクトキーが多数配設されるダイレクトキーボードと、
前記ダイレクトキーに備わる照明灯と、
該照明灯を点灯する点灯手段と、
操作されたダイレクトキーを検出する検出手段とを備え、
前記点灯手段が、操作されたダイレクトキーに対応付けられる特定事項と関連して記憶される一連の内容の各特定事項に対応付けられる各ダイレクトキーの照明灯を点灯するように構成されるラベルプリンター。
【請求項２】
前記記憶装置に記憶される一連に印刷されるべき複数の特定事項からなる一連の内容と対応付けられる複数の通常キーが操作されると、
前記点灯手段が、かかる一連の内容に含まれる特定事項と対応付けられるダイレクトキーの照明灯を点灯するように構成されてなる請求項１記載のラベルプリンター。
【請求項３】
前記照明灯に複数の色が設定されてなる請求項１または請求項２記載のラベルプリンター。
【請求項４】
前記ダイレクトキーに備わる照明灯を、特定色の発光源を二種類以上組み合わせて構成したことを特徴とする請求項３記載のラベルプリンター。
【請求項５】
前記点灯手段は、照明灯を点灯させた後に、前記ダイレクトキーまたは通常キーに対する新たな操作が行われた場合に、前記点灯された照明灯を消灯するように構成されてなる請求項１乃至請求項４記載のラベルプリンター。
【発明の詳細な説明】
【０００１】
【発明の属する技術分野】
本発明は、食品等の商品の名称やその金額等の内容を表す複数の文字を印刷するためのラベルプリンターに関する。
【０００２】
【従来の技術】
ラベルプリンターは、商品の名称やその金額等の商品に関する情報を表す文字が印刷されるラベルを製造するために用いられるものである。例えば、商品の例としてハムがあるが、ハムの一種のロースハムであれば、一つの商品に関連する一連の情報として、商品の名称である「ロースハム」、「重量」、「金額」、「賞味期限」等がある。そして、従来のラベルプリンターは、商品についてのこれらの情報をラベルに印刷できるように、以下のように構成されている。
【０００３】
即ち、ラベルプリンターには、一つの商品の名称や重量等の特定事項からなる一連の内容が関連付けて記憶されている記憶装置と、複数のキーが配設されるキーボードとが備わっている。そして、前記複数のキーの組み合わせと記憶装置中に記憶される前記一連の内容とが予め対応付けられており、複数のキーを順次に操作することによって、これに対応する一連の内容がＣＰＵの動作によって記憶装置中に検索されて読み出され、かかる一連の内容が印刷されるラベルを出力できるようになっている。具体例を挙げて説明すると、「１」、「２」、「３」、「４」、「品名コード」の複数のキーを順次に操作することによって、該複数のキーの操作と対応付けて記憶される「ロースハム」「５００ｇ」といった商品名や重量等からなる一連の内容がラベル印刷されたラベルが出力される。
【０００４】
ここで、従来のラベルプリンターには、前記複数の通常キー以外に、いわゆるダイレクトキーを多数配設したダイレクトキーボードが備わっている。そして、このダイレクトキーの各々についても前記記憶装置中の特定の商品名等と対応付けられており、ダイレクトキーを操作することにより、対応する商品の名称等が記憶装置中より検索されて読み出され、かかる商品の名称等が印刷されるラベルが出力されるようになっている。即ち、前記複数の通常キーと対応付けて記憶装置に記憶されている一連の内容について、該一連の内容の各部分にダイレクトキーが各々対応付けられている。そして、このダイレクトキーの操作によりラベル印刷を行う場合には、一部の特定事項と対応する一つのダイレクトキーの操作によって、該特定事項を含んでなる前記一連の内容の全てが印刷されるラベル印刷を行うことができる。そのため、ダイレクトキーによると、数少ないキーの操作で作業を行うことができるので、前記通常キーの多数を操作する場合と比べて操作が行い易く、特に、一連の内容に対応付けられる通常キーが多数の数字等からなる場合には、キーの操作ミスに伴う無駄な作業を繰り返す等を防ぐことができるという利点がある。
【０００５】
そのため、従来のラベルプリンターの使用にあっては、使用頻度の特に高い商品名等にダイレクトキーを対応付け、かかるダイレクトキーを操作することによりラベル印刷することが行われている。
【０００６】
【発明が解決しようとする課題】
ここで、従来のラベルプリンターに備わっている特定のダイレクトキーが操作されると、操作されたダイレクトキーに対応付けられる特定事項を含んでなる前記一連の内容の全てあるいは必要最低限度の内容が、ラベルプリンターに付設されるディスプレイ上に写し出されるようになっている。そして、かかるディスプレイ上に写し出された商品の名称等自体を判読することにより、ダイレクトキーの操作に対して印刷されるべき内容の確認を行っていた。そのため、従来のダイレクトキーの操作に対する印刷されるべき内容の確認は、ディスプレイに表示される多数の文字等を個々に判読する作業によらなければならず、煩雑であり即時に判断することが困難であった。
【０００７】
また、ディスプレイ上に写し出された内容を判読することに基づいて、かかる内容に対応する全てのダイレクトキーの判断が行われていた。
【０００８】
一方、ラベルプリンターの操作者は、ダイレクトキーの操作を繰り返し経験することにより、ダイレクトキーボードの各ダイレクトキーの位置と各ダイレクトキーに対応付けられる前記特定事項との対応を認識できるようになることが知られている。
【０００９】
そこで、本発明は、前記ダイレクトキーの操作に対して、該ダイレクトキーに対応する特定事項と関連して記憶される一連の内容の確認を、ダイレクトキーボード上で、容易に即時に行うことのできるラベルプリンターを提供することを目的としている。
【００１０】
【課題を解決するための手段】
前記課題を解決するため、本発明にかかる請求項１記載の発明は、ラベル印刷に際して一連に印刷されるべき複数の特定事項からなる一連の内容（以下、「特定レコードの内容」ともいう）が関連付けて記憶されている記憶装置と、前記特定事項と対応付けられるダイレクトキーが多数配設されるダイレクトキーボードと、前記ダイレクトキーに備わる照明灯と、該照明灯を点灯する点灯手段と、操作されたダイレクトキーを検出する検出手段とを備え、ダイレクトキーが操作された場合に、該ダイレクトキーが前記検出手段により検出され、前記点灯手段が、操作されたダイレクトキーに対応付けられる特定事項と関連して記憶される一連の内容の各々に対応している各ダイレクトキーに備わる前記照明灯を点灯するように構成されるラベルプリンターである。
【００１１】
これにより、ダイレクトキーが操作されると、前記検出手段がいずれのダイレクトキーが操作されたかを検出する。そして、検出されたダイレクトキーと対応付けられる前記特定事項が検索され、該特定事項が関連付けられる特定レコードの内容が検索される。そして、前記点灯手段が、検索された特定レコードの内容の各々に対応する各ダイレクトキーに備わる照明灯を点灯させる。
【００１２】
これにより、一つのダイレクトキーが操作された場合に、かかる操作に応じて印刷されるべき特定レコードの内容を、視覚によるダイレクトキーの位置の認識を介してダイレクトキーボード上で即時に判別することができ、ディスプレイに表示される多数の文字等自体を個々に判読しなければならない等の煩雑な作業を回避することができる。
【００１３】
ここで、ダイレクトキーとは、ラベルプリンターによりラベル印刷を行うにあたり、前記特定レコードの内容に含まれる特定事項と対応付けられるキーであり、単一のキーの操作により前記特定レコードの内容の全てのラベル印刷を行えるように構成されるキーである。
【００１４】
一方、通常キーとは、従前よりラベルプリンターに備わっているキーであり、数字やアルファベットからなるアルファニューメリックキーや特殊機能を割り付けた割り付けキーがある。この割り付けキーには、具体的には「品名コード」や「得意先コード」のようなものが配されており、ラベル印刷しようとする内容の種類に対応させたものが用意されている。そして、通常キーによりラベル印刷を行う場合には、一般に、アルファニューメリックキーの複数と割り付けキーとが組み合わされてなる操作と前記特定レコードの内容とが対応付けられており、これらの多数のキーを操作することによって、前記特定レコードの内容のラベル印刷が行われることになる。従って、同じ内容のラベル印刷を行う場合には、ダイレクトキーによると、数少ないキーの操作により行えるので、操作ミス等を生ずることがない。
【００１５】
請求項２記載の発明は、前記記憶装置に記憶される一連に印刷されるべき複数の特定事項からなる一連の内容と対応付けられる複数の通常キーが操作されると、前記点灯手段が、かかる一連の内容に含まれる特定事項と対応付けられるダイレクトキーの照明灯を点灯するように構成されてなる請求項１記載のラベルプリンターである。
【００１６】
これにより、前記特定レコードの内容と対応付けられている通常キーが操作された場合にも、かかる特定レコードの内容に含まれる特定事項に対応付けられるダイレクトキーに備わる照明灯の全てが点灯する。従って、通常キーが操作された場合についても、印刷されるべき特定レコードの内容を、ダイレクトキーの位置の認識を介してダイレクトキーボード上で即時に判別することができる。
【００１７】
請求項３記載の発明は、前記照明灯に複数の色が設定されてなる請求項１または請求項２記載のラベルプリンターである。
【００１８】
これにより、各ダイレクトキーを、対応付けられる特定事項の種類（商品の名称や商品の重量等）に基づいて色分けすることができる。
【００１９】
請求項４記載の発明は、前記ダイレクトキーに備わる照明灯を、特定色の発光源を二種類以上組み合わせて構成したことを特徴とする請求項３記載のラベルプリンターである。
【００２０】
これにより、特定の一色を発する光源を複数種類用意し、該光源が発する色の組み合わせにより、前記照明灯の複数の色を実現できるので、複数色を発する前記照明灯を簡易に構成することができる。
【００２１】
請求項５記載の発明は、前記点灯手段が、照明灯を点灯させた後に、前記ダイレクトキーまたは通常キーに対する新たな操作が行われた場合に、前記点灯された照明灯を消灯するように構成されてなる請求項１乃至請求項４記載のラベルプリンターである。
【００２２】
これにより、直前に操作されたキーと対応する特定事項のみをダイレクトキーボード上で判別することができる。
【００２３】
【発明の実施の形態】
本発明にかかるラベルプリンターについて、図１乃至図１５に基づいて説明する。
【００２４】
図１は、本発明にかかるラベルプリンター１の外観について、操作者によって操作されるキーボードが配設される側を眺めた正面図を示している。
【００２５】
通常キーボード部２は、アルファニューメリックキー部４と割り付けキー部５とによって構成されている。
【００２６】
アルファニューメリックキー部４には、「１」、「２」、・・、「Ａ」、「Ｂ」・・、等の数字やアルファベットを表す多数の第一通常キー１５が備わっている。
【００２７】
割り付けキー部５には、一つのキーの操作に対して特定の機能が割り付けられている多数の第二通常キー１６が備わっており、「品名コード」、「得意先コード」といったキーが備わっている。
【００２８】
ダイレクトキーボード部３には多数のダイレクトキー１１が配設されている。各ダイレクトキー１１は、各々に特定ナンバーが割り付けられており、該特定ナンバーによっていずれのダイレクトキーであるかが区別され得るようになっている。
【００２９】
本実施形態にあっては、ダイレクトキー１１を１６個備える例を示している。
【００３０】
また、各ダイレクトキー１１には、図１には図示されていない二種類の発光ダイオードが内蔵されており、かかる発光ダイオードが後に説明する照明灯１２を構成する。この二つの発光ダイオードは、ダイレクトキー１１において操作者がその発光を視認しうる位置に配設されており、また、互いに独立に点灯や消灯がされ得るようになっている。本実施形態にあっては、二種類の発光ダイオードとして、赤色ダイオード（ＲＤ）と緑色ダイオード（ＧＤ）とを用いる例を示している。また、このＲＤとＧＤを点灯する組み合わせによって、ダイレクトキー１１に複数の色を設定できるようになっている。
【００３１】
表示部６は、後に触れるプリンター部２６によりラベルに印刷しようとする文字のイメージを確認的に表示するための部材であり、液晶ディスプレイ等を備えて構成することができる。
【００３２】
図２は、ラベルプリンター１の主要部材のブロック図を示している。
【００３３】
切り替え部２１は、前記キーボード部２、３の操作に対するラベルプリンター１の動作を、第一動作状態と第二動作状態との間で切り替えるためのものである。
【００３４】
第一動作状態にあっては、各ダイレクトキー１１の特定ナンバーと商品名等の特定事項との対応付けをメモリ２５に記憶することができる。また、特定レコードの内容を、これに含まれる各特定事項間の関連付けとともにメモリ２５に記憶することもできる。また、通常キー１５、１６の組み合わせと、特定レコードの内容との対応付けを記憶させることもできる。
【００３５】
第二動作状態にあっては、キーボード部２、３の操作に対して、対応付けられる特定レコードの内容や特定事項のメモリ２５中での検索が行われ、該当する特定レコードの内容がラベル印刷されたラベルを出力することができる。
【００３６】
切り替え部２１は、機械的なオン，オフ動作をなし得るスイッチを備えて構成されるが、その操作の状況がＩ／Ｏを介してシステムバス２０に信号として入力されるようになっている。
【００３７】
ＣＰＵ２２は、システムバス２０を介してラベルプリンター１の各部材の動作の制御を行う。また、ＣＰＵ２２には、図示していない各種の信号線も接続されており、該信号線を介する各種の信号の出力や各種の信号の入力に基づいて、ラベルプリンター１の各部材を制御するようになっている。かかるＣＰＵ２２による制御動作は特に図示していない手順が記述されるプログラムに従って行われるが、該プログラムはＲＯＭ２３に格納されている。また、ＣＰＵ２２が前記制御動作を行う上で必要となる各種データー等の演算は、ＲＡＭ２４中に確保される特定の記憶領域にて行われる。
【００３８】
このＲＡＭ２４にはプリンター部２６により印刷されるべき文字のビットイメージが展開される記憶領域が設けられるが、プリンター１の第二動作状態において、キーボード部２、３の操作に対して、検索された特定レコードの内容がメモリ２５より読み出されると、その内容を表す文字等のイメージがシステムバス２０を介してＲＡＭ２４に転送されるようになっている。
通常キーボード部２は、キーボードとして周知の機構を備えて構成されており、多数の通常キー１５、１６の操作の状況がＩ／Ｏを介してシステムバス２０に入力されるようになっている。
【００３９】
ダイレクトキーボード部３は、キーボードとして周知の機構を備えて構成されており、１６個のダイレクトキー１１の操作の状況がＩ／Ｏを介してシステムバス２０に入力されるようになっている。
【００４０】
メモリ２５は、読み出しと書き込みとが可能な記憶素子を備えて構成され、また、書き込まれた内容が電源のオフの後にも保存され得るようになっている。このメモリ２５には、ダイレクトテーブル、及び品名マスター表に対応する品名マスターデータが記憶されている。これらメモリ２５に記憶される具体例については、後に説明する。
【００４１】
プリンター部２６は、商品名等が印刷されたラベルを出力する部材であり、周知の機構を備えるプリンターがＩ／Ｏを介してシステムバス２０に接続されている。そして、前記第二動作状態において、キーボード２、３の操作に基づき、印刷しようとする特定レコードの内容がメモリ２５よりシステムバス２０へと読み出されると、該特定レコードの内容はプリンター部２６へと転送されるようになっている。そして、プリンター部２６へと転送された商品等を表す文字列がラベルに印刷され、印刷されたラベルがプリンター部２６より出力されるようになっている。
【００４２】
表示部６は、液晶ディスプレイ等の表示器がＩ／Ｏを介してシステムバス２０に接続されており、前記ＲＡＭ２４より文字のビットイメージが転送され得るようになっている。
【００４３】
次に、操作されたダイレクトキーを検出するための検出手段について説明する。
【００４４】
図３は、検出手段を構成する検出回路を示す図である。
【００４５】
ダイレクトキーボード部３に配設される各ダイレクトキー１１には前記特定ナンバーが割り付けられるが、この例にあっては、図３に示されるように、１６個のダイレクトキー１１に対して、特定ナンバー（０）、（１）、（２）、・・・、（１５）が割り付けられている。以後、１６個のダイレクトキー１１の各々を区別する必要があるときは、キー（０）、キー（１）のように表す。
【００４６】
図３において、３１はデコーダ付きラッチＩＣである。ラッチＩＣ３１は、入力端子ｄ０、ｄ１によりシステムバス２０に接続され、また、出力端子に回線ｓ０、ｓ１、ｓ２、ｓ３が接続されている。３２はラッチＩＣ３１のいわゆるイネーブル端子であり、ＣＰＵ２２の動作により端子３２へ書き込み信号が出力されると、回線ｓ０、ｓ１、ｓ２、ｓ３への各ストローブ信号ＳＴ０、ＳＴ１、ＳＴ２、ＳＴ３がラッチされる。ラッチＩＣ３１について、入力信号Ｄ１、Ｄ０の論理値に対する出力信号ＳＴ０、ＳＴ１、ＳＴ２、ＳＴ３の論理値の関係を表す第一論理表を図４に示す。
【００４７】
また、前記回線ｓ０、ｓ１、ｓ２、ｓ３と交差し、これらの回線に直接的には電気的な接点を有さない回線ｋ０、ｋ１、ｋ２、ｋ３が設けられている。回線ｋ０、ｋ１、ｋ２、ｋ３の各々は、安定化用抵抗ｒ１を介して５Ｖの電源に接続されており、該回線を通って伝送されるダイレクトキー１１の状態を表すキー入力信号ＫＤ０等を安定に形成できるようになっている。
【００４８】
図５は、各ダイレクトキー１１の押し釦部分と前記の互いに交差する回線ｓ０等とｋ０等との構造を示しており、ダイレクトキー（０）の押し釦部分を例として示している。例えば、ダイレクトキー（０）であれば、該キーの押し釦が押されると、回線ｋ０と回線ｓ０とが短絡されるようになっている。
【００４９】
バッファＩＣ３３は、各ダイレクトキー１１が押されているか否かの状態を表す電気信号をシステムバス２０に読み出すためのＩＣであり、その入力端子に前記回線ｋ０、ｋ１、ｋ２、ｋ３が接続され、その出力端子ｄ５、ｄ４、ｄ３、ｄ２によりシステムバス２０に接続される。ＩＣ３３は、ＣＰＵ２２の動作により端子３４へ読み込み信号が出力されると、前記キー入力信号ＫＤ０等をシステムバス２０に出力することができる。
【００５０】
次に、各ダイレクトキー１１の状態が、どのように検出されるかについて、図６および図７に基づいて説明する。
【００５１】
ラッチＩＣ３１は、回線ｓ０、ｓ１、ｓ２、ｓ３に対して、ストローブ信号ＳＴ０、ＳＴ１、ＳＴ２、ＳＴ３を各々に出力する。図６（ａ）は、このストローブ信号のタイミングチャートの例を示している。
【００５２】
回線ｋ０、ｋ１、ｋ２、ｋ３は、前記のように５Ｖの電源に接続されているので、いずれのダイレクトキー１１も押されていない状態においては、図６（ｂ）のタイミングチャートに示されるように、キー入力信号ＫＤ０等は常にＨｉｇｈ（図６（ｂ）中「Ｈ」で表しており、＋５Ｖの電位にある状態を意味する。なお、図６中、「Ｌ」はＬｏｗを意味し、０Ｖの電位にある状態を意味する）の状態にある。
【００５３】
次に、ダイレクトキー（０）のみが押されると、回線ｓ０とｋ０とが電気的に短絡され、信号ＳＴ０のみが回線ｋ０へと伝送されることができる。図６（ｃ）は、かかる状態におけるキー入力信号のタイミングチャートを示している。
【００５４】
図６（ｃ）に示される波形からなる各キー入力信号は、システムバス２０へと出力される。
【００５５】
図７は、ストローブ信号ＳＴ０等の論理値とキー入力信号ＫＤ０等の論理値とダイレクトキーの特定ナンバーとの対応関係を表す第二論理表を示している。図７における欄５１は、回線ｓ０、ｓ１、ｓ２、ｓ３へ出力されるストローブ信号の論理値を示しているが、論理値が同一行に並べられるストローブ信号がＩＣ３１より同時に出力される。また、欄５２は、キー入力信号の論理値の組み合わせを示しているが、論理値が同一行に並べられるキー入力信号が同時にシステムバス２０へ出力される。欄５３は、ストローブ信号とキー入力信号の論理値に対して、対応するダイレクトキーの特定ナンバーを＊により示している。
【００５６】
欄５４は、１６個のダイレクトキーの各特定ナンバーに対応させた４桁からなる二進数を表している。
【００５７】
次に、ダイレクトキー１１に備わる赤色ダイオード（ＲＤ）と緑色ダイオード（ＧＤ）とを点灯し、又は消灯する点灯手段について説明する。
【００５８】
図８は、点灯手段を構成する点灯回路を示している。
【００５９】
１６個のダイレクトキー１１の各々に備わる照明灯１２に対して、４個の電源部６０、６１、６２、６３と４個のスイッチング回路部７０，７１、７２、７３とが、図８に示されるように接続されている。
【００６０】
４個の電源部は、電源部６０について図示しているように、電源６５よりランプ点灯用の電圧が印加されるＰＮＰトランジスタ６６と、トランジスタ６６を安定に動作させ得るように接続される抵抗ｒ２、ｒ３とを内部に備えており、抵抗ｒ３の端子の片側に前記ストローブ信号ＳＴ０、ＳＴ１、ＳＴ２、ＳＴ３が入力されるようになっている。このストローブ信号ＳＴ０、ＳＴ１、ＳＴ２、ＳＴ３は、前記図３のＩＣ３１より出力されたものが、電源部６０、６１、６２、６３へも入力されるようになっている。
【００６１】
そして、前記ＰＮＰトランジスタ６６は、電源部に入力される前記信号ＳＴ０、ＳＴ１、ＳＴ２、ＳＴ３がＨの状態にあると、導通可能な状態となることができない。一方、トランジスタ６６は、前記信号ＳＴ０等がＬの状態にあると、導通可能な状態となることができる。このように、電源部に入力されるストローブ信号ＳＴ０、ＳＴ１、ＳＴ２、ＳＴ３がＨかＬかのいずれの状態にあるかにより、ランプ点灯用電源６５より各照明灯１２のＲＤ、ＧＤに電力を供給し得るか否かが決まるようになっている。
【００６２】
４つのスイッチング回路部は、スイッチング回路部７０について図示しているように、ＮＰＮトランジスタ７６と該トランジスタ７６を安定に動作させ得るように接続される抵抗ｒ４、ｒ５、ｒ６とからなる第一スイッチング回路と、トランジスタ７７と該トランジスタ７７を安定に動作させ得るように接続される抵抗ｒ７、ｒ８、ｒ９とからなる第二スイッチング回路とを備えている。そして、スイッチング信号ＬＧ、ＬＲのうち、信号ＬＧが抵抗ｒ４の端子の片側に入力されるようになっており、信号ＬＲが抵抗ｒ７の端子の片側に入力されるようになっている。このスイッチング信号ＬＧ、ＬＲをＨとＬとで切り替えることにより、各照明灯１２の二つのダイオードＧＤ、ＲＤに対するスイッチとして作用するように構成されている。これにより、信号ＬＧ、ＬＲの各々がＨかＬかによって、各照明灯１２のＧＤ、ＲＤが発光するか否かが決まることになり、一つの照明灯１２の発光色と点灯と消灯とが決まるようになっている。
【００６３】
信号ＬＧ、ＬＲに関して、図８において、スイッチング回路部７０に入力されるものをＬＧ０、ＬＲ０と表し、スイッチング回路部７１に入力されるものをＬＧ１、ＬＲ１と表し、スイッチング回路部７２に入力されるものをＬＧ２、ＬＲ２と表し、スイッチング回路部７３に入力されるものをＬＧ３、ＬＲ３と表している。
【００６４】
そして、各スイッチング回路部７０、７１、７２、７３に入力される各信号ＬＧ、ＬＲのＨまたはＬの出力の組み合わせは、１６個のダイレクトキー１１のＧＤ、ＲＤに対応してＨまたはＬの内容が記されている周知のダイオード点灯マップ（特に図示していない）に基づいて決まるようになっている。
【００６５】
また、前記４つのスイッチング回路部の各々は、図８に特に図示していないラッチＩＣを介してシステムバス２０に接続されている。そして、前記ＬＧ、ＬＲによる１６個のダイレクトキー１１の点灯は、前記ストローブ信号ＳＴ０、ＳＴ１、ＳＴ２、ＳＴ３との組み合わせによる、いわゆるダイナミック点灯により、前記ダイオード点灯マップの内容を実行できるようになっている。
【００６６】
図９は、前記点灯回路の変形例の一つを示しており、前記照明灯と前記スイッチング回路部との間に機械的なオン、オフ動作をなしえる第一スイッチ１３が接続される例をキー（０）について示している。第一スイッチ１３は、照明灯１２を構成するＧＤ、ＲＤの各々に直列に接続される二つの機械的な接点式スイッチを備えて構成されており、かかる二つの接点式スイッチのオン、オフによっても、ＧＤ、ＲＤを独立に点灯させ、または消灯させることができる。
【００６７】
図１０は、前記点灯回路の変形例の一つを示しており、機械的なオン、オフ動作をなしえる第二スイッチ１４を前記スイッチング回路の直前部分に備える例を、キー（０）について示している。第二スイッチ１４は、二つの発光ダイオードＧＤ、ＲＤに対応するように、二つの機械的な接点式スイッチを備えて構成されており、第二スイッチ１４に備わる前記二つの接点式スイッチのオン、オフによっても、ＧＤ、ＲＤを独立に点灯させ、または消灯させることができる。
【００６８】
図１１はダイレクトキー１１の各々に対する割り当て内容を規定するダイレクトテーブルであり、割り当て内容は前記メモリ２５に記憶される。
【００６９】
ダイレクトテーブルの欄８１には各ダイレクトキー１１の特定ナンバーが記されており、欄８２にはデータコードが記されており、欄８３には内容コードが記されており、欄８４には照明灯コードが記されている。
【００７０】
図１２は前記データコードの各々に対する割り当て内容を規定するデータコード対応表の一部を例示している。
【００７１】
図１３は、前記照明灯コードの各々に対するＲＤ、ＧＤのオン、オフの組み合わせを規定する照明灯コード対応表を示している。
【００７２】
この図１１と図１３との関係から、例えば、キー（０）の照明灯について、その点灯に際して、ＲＤのみをオンさせることができる。そして、各ダイレクトキーのＲＤ、ＧＤのオン、オフの組み合わせに基づく発光色は、上記ダイレクトテーブルと照明灯コード対応表とから決まることになる。
【００７３】
また、図１１と図１２との関係から、前記各データコードにおける前記内容コードに対して具体的な内容を設定することにより、例えば、キー（０）に具体的な商品名としての「ロースハム」等を割り当てることができる。
【００７４】
図１４は、ラベル印刷に際して一連に印刷されるべき複数の特定事項からなる一連の内容である特定レコードの内容が記憶される記憶表の一例である品名マスター表を示している。
【００７５】
図１４に示されるように、例えば、品名コード１には、特定事項としての「ロースハム」、「部門コード１１」、「金額５００円」、「重量３００ｇ」、「賞味期間３０日」が関連付けて記憶されている。そして、前記プリンター２６によるラベル印刷は、上記品名コード１が対象となる場合には、品名コード１に関連付けられる上記の一連の内容毎に行われる。そして、かかる品名コード１に関連付けられる上記の一連の内容が特定レコードの内容に相当する。
【００７６】
また、各品名コードは、第一通常キー１５の複数と第二通常キー１６との対応付けが行われており、かかる通常キー１５、１６の組み合わせと品名コードに関連付けられる特定レコードの内容とを対応付けることができるようになっている。
【００７７】
また、前記品名マスター表に示される各特定事項の一部であって使用頻度の高い項目は、特定ナンバーを介してダイレクトキーが対応付けられている。
図１５は、各ダイレクトキーに対応付けた特定事項の具体例を示している。
【００７８】
図１５に示すように、例えば、図１４に示される特定事項の一つである「ロースハム」は、キー（０）に対応付けられる。
【００７９】
この例では、キー（０）が押されると、これと対応する「ロースハム」が関連する品名コード１に含まれる特定事項のうち、該特定事項との対応付けが存在するダイレクトキーについて、該ダイレクトキーの全ての照明灯が点灯することになる。即ち、図１４、図１５より、キー（０）の他、「部門コード１１」、「金額５００円」、「重量３００ｇ」に対応付けられるキー（５）、キー（１４）、キー（３）の照明灯が点灯する。
【００８０】
これにより、ダイレクトキー（０）の操作に対して、これによって印刷されるべき品名コード１に含まれる「ロースハム」の他、「部門コード１１」、「金額５００円」等の特定事項についても、キー（５）、キー（１４）等の点灯により確認することができ、表示部６に写し出されるこれらの文字を一文字ずつ判読する場合に比べて、速やかに判別することができる。
【００８１】
また、図１４の品名コード１に対応付けられる通常キー１５、１６が操作された場合についても、「ロースハム」、「部門コード１１」、「金額５００円」等の特定事項について、キー（０）、キー（５）等の点灯により確認することができる。
【００８２】
【発明の効果】
以上のように、請求項１記載の発明は、ダイレクトキーが操作された場合に、かかる操作に応じて印刷されるべき特定レコードの内容を、視覚によるダイレクトキーの位置の認識を介してダイレクトキーボード上で即時に判別することができるという効果を奏する。
【００８３】
請求項２記載の発明は、通常キーが操作された場合についても、これにより印刷されるべき特定レコードの内容を、ダイレクトキーの位置の認識を介してダイレクトキーボード上で即時に判別することができるという効果を奏する。
【００８４】
請求項３記載の発明は、ダイレクトキーに備わる照明灯に複数の色を設定することができるので、ダイレクトキーの各々を、対応付けられる商品名等の内容によって色分けすることができるという効果を奏する。
【００８５】
請求項４記載の発明は、複数色を発する前記照明灯を簡易に構成することができるという効果を奏する。
【００８６】
請求項５記載の発明は、直前に操作されたキーと対応する特定事項のみをダイレクトキーボード上で判別することができるという効果を奏する。
【図面の簡単な説明】
【図１】ラベルプリンターの正面図である。
【図２】ラベルプリンターの主要構成部材のブロック図である。
【図３】ダイレクトキーの検出回路を示す回路図である。
【図４】第一論理表を示す図である。
【図５】ダイレクトキーの押し釦部分の構造を示す図である。
【図６】検出回路に入出力される信号のタイミングチャートである。
【図７】第二論理表を示す図である。
【図８】点灯回路の回路図である。
【図９】点灯回路の一構成例を示す図である。
【図１０】点灯回路の一構成例を示す図である。
【図１１】ダイレクトテーブルの内容を示す図である。
【図１２】データコード対応表の内容を示す図である。
【図１３】照明灯コード対応表の内容を示す図である。
【図１４】品名マスター表の内容を示す図である。
【図１５】各ダイレクトキーに対応付けた特定事項の具体例を示す図である。
【符号の説明】
１・・・ラベルプリンター
２・・・通常キーボード
３・・・ダイレクトキーボード
４・・・アルファニューメリックキー部
５・・・割り付けキー部
６・・・表示部
１１・・・ダイレクトキー
１２・・・照明灯
１５・・・第一通常キー
１６・・・第二通常キー
２０・・・システムバス
２１・・・切り替え器
２２・・・ＣＰＵ
２３・・・ＲＯＭ
２４・・・ＲＡＭ
２５・・・メモリ
２６・・・プリンター部
３１・・・ラッチＩＣ
３３・・・バッファＩＣ
６０、６１、６２、６３・・・電源部
７０、７１、７２、７３・・・スイッチング回路部
（０）、（１）、（２）、（３）、（４）、（５）、（６）、（７）、（８）、（９）、（１０）、（１１）、（１２）、（１３）、（１４）、（１５）・・・ダイレクトキーの各々に割り付けられる特定ナンバー
【図１】
0004168208.tif 000002
【図２】
0004168208.tif 000003
【図３】
0004168208.tif 000004
【図４】
0004168208.tif 000005
【図５】
0004168208.tif 000006
【図６】
0004168208.tif 000007
【図７】
0004168208.tif 000008
【図８】
0004168208.tif 000009
【図９】
0004168208.tif 000010
【図１０】
0004168208.tif 000011
【図１１】
0004168208.tif 000012
【図１２】
0004168208.tif 000013
【図１３】
0004168208.tif 000014
【図１４】
0004168208.tif 000015
【図１５】
0004168208.tif 000016